(57)【要約】【課題】内容物を使用等する際に発生したゴミを収納する。【解決手段】内容物が収納されて販売に供される容器１０であって、その内部に、前記内容物が収納される第１空間１１と、この第１空間１１に対して仕切られた第２空間１２とが設けられ、第２空間１２を画成する壁部１６ｂには、この容器１０の外部と第２空間１２の内部とを連通させるとともに、第２空間１２内に収納される物体がこの容器１０の外部へ排出されるのを抑止可能な挿通部１７が設けられている。【選択図】図１
2008007184.tif 000002
【特許請求の範囲】
【請求項１】
内容物が収納されて販売に供される容器であって、
その内部に、前記内容物が収納される第１空間と、この第１空間に対して仕切られた第２空間とが設けられ、
前記第２空間を画成する壁部には、この容器の外部と前記第２空間の内部とを連通させるとともに、第２空間内に収納される物体がこの容器の外部へ排出されるのを抑止可能な挿通部が設けられていることを特徴とする容器。
【請求項２】
請求項１記載の容器であって、
前記第１空間は、上端開口部に蓋体が設けられた有底筒状体の内部とされ、前記第２空間は、開口部が前記有底筒状体の底面によって閉塞されるようにこの有底筒状体に着脱可能に取り付けられたカップ状体の内部とされていることを特徴とする容器。
【請求項３】
請求項１または２に記載の容器であって、
前記挿通部は、前記壁部に形成された挿通孔の内周縁に、その径方向内方に延びる板状体が複数環状に設けられた構成とされるとともに、これらの各板状体は、前記挿通孔の内周縁に位置された基端部を支点として前記挿通孔の中心軸線方向に弾性変形可能に設けられていることを特徴とする容器。
【請求項４】
請求項１または２に記載の容器であって、
前記挿通部は、第２空間の内部に向けて突設された筒体とされ、前記壁部から第２空間の内部に向かうに従い漸次縮径されていることを特徴とする容器。
【請求項５】
請求項４記載の容器であって、
前記筒体は、前記壁部から第２空間の内部に向けて延びる板状体が複数環状に設けられた構成とされるとともに、これらの各板状体は、前記壁部側の基端部を支点としてこの筒体の径方向に弾性変形可能に設けられて、前記筒体は拡縮変形可能とされていることを特徴とする容器。
【請求項６】
請求項４または５に記載の容器であって、
前記筒体の縦断面視において、前記第２空間側の開口端部外周面と前記壁部の表面とがこの筒体の径方向外方でなす角度は、前記壁部に連設された部分の外周面と前記壁部の表面とがこの筒体の径方向外方でなす角度よりも小さくされていることを特徴とする容器。
【発明の詳細な説明】
【技術分野】
【０００１】
本発明は容器に関するものである。
【背景技術】
【０００２】
容器には、飲食物にかかわらず多品種にわたる物品が収納されて販売されている。近年では、この種の容器として、例えば下記特許文献１に示されるような、多数個のチュウインガムが収納されて販売されているものも提供されている。
【特許文献１】実用新案登録第３１０１９１４号公報
【発明の開示】
【発明が解決しようとする課題】
【０００３】
しかしながら、前記従来の容器では、収納された内容物を使用等する際、その内容物によってはゴミが発生し、そのゴミの処理に困るという問題があった。
【０００４】
本発明は、このような事情を考慮してなされたもので、ゴミを収納することができる容器を提供することを目的とする。
【課題を解決するための手段】
【０００５】
上記課題を解決して、このような目的を達成するために、本発明の容器は、内容物が収納されて販売に供される容器であって、その内部に、前記内容物が収納される第１空間と、この第１空間に対して仕切られた第２空間とが設けられ、前記第２空間を画成する壁部には、この容器の外部と前記第２空間の内部とを連通させるとともに、第２空間内に収納される物体がこの容器の外部へ排出されるのを抑止可能な挿通部が設けられていることを特徴とする。
この発明では、挿通部が設けられているので、内容物を使用等したときにゴミが発生しても、このゴミを前記挿通部を通して第２空間内に収納することが可能になるとともに、この第２空間内に収納されたゴミが容器外に排出されるのを抑止することもできる。さらに、第１空間と第２空間とが仕切られているので、ゴミと内容物とが同一空間内で混在するのも防ぐことができる。
【０００６】
ここで、前記第１空間は、上端開口部に蓋体が設けられた有底筒状体の内部とされ、前記第２空間は、開口部が前記有底筒状体の底面によって閉塞されるようにこの有底筒状体に着脱可能に取り付けられたカップ状体の内部とされてもよい。
この場合、カップ状体を有底筒状体から取り外すことにより、第２空間内に収納されたゴミを適宜のタイミングで容易に廃棄することが可能になるとともに、第２空間内を洗浄することも可能になり、この容器を清潔に保つことができる。
【０００７】
なお、上記構成に代えて、例えば、有底筒状体の内部に、この内部を中心軸線方向の上部と下部とで仕切る仕切り板を例えばアンダーカット嵌合によって着脱可能に嵌合して、前記上部を前記第１空間とする一方、前記下部を前記第２空間として、この有底筒状体の上端開口部に蓋体を設けるとともに、底部若しくは前記下部の周壁部に前記挿通部を設けるようにしてもよい。
【０００８】
また、前記挿通部は、前記壁部に形成された挿通孔の内周縁に、その径方向内方に延びる板状体が複数環状に設けられた構成とされるとともに、これらの各板状体は、前記挿通孔の内周縁に位置された基端部を支点として前記挿通孔の中心軸線方向に弾性変形可能に設けられてもよい。
この場合、前記板状体が弾性変形可能に設けられているので、内容物を使用等したときに発生したゴミを容易に第２空間内に入れることが可能になるとともに、この第２空間に収納されたゴミが、この容器の外部に放出されるのを確実に防ぐことができる。
【０００９】
さらに、前記挿通部は、第２空間の内部に向けて突設された筒体とされ、前記壁部から第２空間の内部に向かうに従い漸次縮径されてもよい。
この場合、筒体の内面が、前記壁部から第２空間の内部に向かうに従い漸次縮径されているので、第２空間内に収納されたゴミが、筒体において第２空間側の開口面からその内側に進入して、この容器の外部に放出されるのを防ぐことが可能になる。さらに、筒体が第２空間の内部に向けて突設されているので、この容器に筒体を設けたことによりその外観が損なわれるのを防ぐことができる。
【００１０】
また、前記筒体は、前記壁部から第２空間の内部に向けて延びる板状体が複数環状に設けられた構成とされるとともに、これらの各板状体は、前記壁部側の基端部を支点としてこの筒体の径方向に弾性変形可能に設けられて、前記筒体は拡縮変形可能とされてもよい。
この場合、筒体が拡縮変形可能とされるので、ゴミを容易に第２空間内に入れることが可能になるとともに、この第２空間に収納されたゴミが、筒体において第２空間側の開口面からその内側に進入して、容器の外部に放出されるのを確実に防ぐことができる。
【００１１】
さらに、前記筒体の縦断面視において、前記第２空間側の開口端部外周面と前記壁部の表面とがこの筒体の径方向外方でなす角度は、前記壁部に連設された部分の外周面と前記壁部の表面とがこの筒体の径方向外方でなす角度よりも小さくされてもよい。
この場合、第２空間に収納されたゴミが、筒体において第２空間側の開口面からその内側に進入するのをより一層確実に防ぐことができる。
【発明の効果】
【００１２】
この発明に係る容器によれば、収納された内容物を使用等する際に発生したゴミを収納することができる。
【発明を実施するための最良の形態】
【００１３】
以下、図面を参照し、この発明の実施の形態について説明する。この実施形態に係る容器１０は、多数個のチュウインガムが収納されて販売に供される容器であって、その内部に、例えばチュウインガム等が収納される第１空間１１と、この第１空間１１に対して仕切られた第２空間１２とが設けられている。
本実施形態では、第１空間１１は、上端開口部１３に蓋体１４が設けられた有底筒状体１５の内部とされ、第２空間１２は、開口部が有底筒状体１５の底面１５ａによって閉塞されるようにこの有底筒状体１５に着脱可能に取り付けられたカップ状体１６の内部とされている。なお、有底筒状体１５およびカップ状体１６はそれぞれ、中心軸線Ｏを共通の中心とする横断面視円形とされている。
【００１４】
図示の例では、蓋体１４は、有底筒状体１５の上端開口部１３に弾性ヒンジ部１４ａを介して連結されて、この弾性ヒンジ部１４ａを中心に回動可能に設けられることにより、有底筒状体１５の上端開口部１３が開閉可能とされている。
【００１５】
また、有底筒状体１５の前記中心軸線Ｏ方向の下部１５ｃは縮径されており、この下部１５ｃの外径はカップ状体１６の内径と同等とされている。さらに、有底筒状体１５のうち、前記下部１５ｃに前記中心軸線Ｏ方向の上方で連なる大径部１５ｄの外径は、カップ状体１６の外径と同等とされている。そして、有底筒状体１５の下部１５ｃの外周面に、その全周にわたって第１嵌合凸部１５ｂが形成されるとともに、カップ状体１６の開口部内周面に、その全周にわたって第２嵌合凸部１６ａが形成されている。
以上より、有底筒状体１５の下部１５ｃの外周面に、カップ状体１６の開口部の内周面が第１嵌合凸部１５ｂおよび第２嵌合凸部１６ａによって着脱可能にアンダーカット嵌合されて、容器１０の正面視で、有底筒状体１５とカップ状体１６との間にほぼ段差や隙間がないようになっている。
【００１６】
そして、本実施形態では、第２空間１２を画成する壁部１６ｂには、容器１０の外部と第２空間１２の内部とを連通させる筒体（挿通部）１７がこの第２空間１２の内部に向けて突設され、筒体１７の内面は前記壁部１６ｂから第２空間１２の内部に向かうに従い漸次縮径されている。図示の例では、筒体１７が設けられたカップ状体１６の壁部１６ｂは、カップ状体１６の底板部、つまり容器１０の底面とされている。
【００１７】
また、筒体１７は、前記壁部１６ｂから第２空間１２の内部に向けて延びる板状体１８が複数環状に設けられた構成とされるとともに、これらの各板状体１８は、前記壁部１６ｂ側の基端部１８ａを支点として筒体１７の径方向に弾性変形可能に設けられて、筒体１７は拡縮変形可能とされている。
【００１８】
さらに、各板状体１８において、第２空間１２側の先端部１８ｂ外面と前記壁部１６ｂの表面とが筒体１７の径方向外方でなす角度θ１は、
前記壁部１６ｂに連設された部分の外面と前記壁部１６ｂの表面とが筒体１７の径方向外方でなす角度θ２よりも小さくされている。これにより、筒体１７の縦断面視において、第２空間１２側の開口端部１７ａ外周面と前記壁部１６ｂの表面とがこの筒体１７の径方向外方でなす角度が、前記壁部１６ｂに連設された部分の外周面と前記壁部１６ｂの表面とがこの筒体１７の径方向外方でなす角度よりも小さくなっている。
【００１９】
以上説明したように本実施形態に係る容器１０によれば、内部に第１空間１１と第２空間１２とが設けられているので、噛み終ったガムが包まれた捨て紙を、チュウインガムが収納される第１空間１１に対して仕切られた第２空間１２内に筒体１７から入れて収納することが可能になり、前記捨て紙を持ち歩く際に、この捨て紙に対して不用意に外力が作用して捨て紙からガムが押出されて露出などするのを抑制することができる。さらに、第１空間１１と第２空間１２とが仕切られているので、前記捨て紙と未だ噛んでいないチュウインガムとが同一空間内で混在するのも防ぐことができる。
【００２０】
また、本実施形態では、筒体１７の内面が、前記壁部１６ｂから第２空間１２の内部に向かうに従い漸次縮径されているので、第２空間１２内に収納された前記捨て紙が、筒体１７において第２空間１２側の開口面１７ｂからその内側に進入して、この容器１０の外部に放出されるのを防ぐことが可能になり、前記の作用効果が確実に奏効されて需要者により一層の安心感を与えることができる。
さらに、筒体１７が第２空間１２の内部に向けて突設されているので、この容器１０に筒体１７を設けたことにより、その外観が損なわれるのを防ぐことができる。特に、本実施形態では、筒体１７を容器１０の底面に設けたので、このような作用効果が確実に奏効されることになる。
【００２１】
さらに、本実施形態では、容器１０が、有底筒状体１５とカップ状体１６とを備え、カップ状体１６が有底筒状体１５に着脱可能に取り付けられているので、カップ状体１６を有底筒状体１５から取り外すことにより、第２空間１２内に収納された前記捨て紙を適宜のタイミングで容易に廃棄することが可能になるとともに、第２空間１２内を洗浄することも可能になり、この容器１０を清潔に保つことができる。
【００２２】
また、筒体１７が拡縮変形可能とされているので、噛み終ったガムが包まれた捨て紙を容易に第２空間１２内に入れることが可能になるとともに、この第２空間１２に収納された前記捨て紙が、筒体１７における第２空間１２側の開口面１７ｂからその内側に進入して、容器１０の外部に放出されるのを確実に防ぐことができる。
特に、本実施形態では、各板状体１８において前記角度θ１が前記角度θ２よりも小さくされているので、このような作用効果がより一層確実に奏効されることになる。
【００２３】
なお、本発明の技術的範囲は前記実施の形態に限定されるものではなく、本発明の趣旨を逸脱しない範囲において種々の変更を加えることが可能である。
例えば、容器１０として、有底筒状体１５とカップ状体１６とを備える構成を示したが、これに代えて、例えば、有底筒状体の内部に、この内部を中心軸線Ｏ方向の上部と下部とで仕切る仕切り板を例えばアンダーカット嵌合によって着脱可能に嵌合して、前記上部を第１空間１１とする一方、前記下部を第２空間１２として、この有底筒状体の上端開口部に蓋体１４を設けるとともに、前記下部に筒体１７を設けるようにしてもよい。
【００２４】
また、前記実施形態では、有底筒状体１５とカップ状体１６とをアンダーカット嵌合したが、これに代えて、例えば、有底筒状体１５の下部１５ｃの外周面に雄ねじ部を形成し、カップ状体の開口部の内周面に雌ねじ部を形成して、これらの雄ねじ部と雌ねじ部とを螺合させた構成を採用してもよい。
さらに、これらの実施形態では、第２空間１２が開放可能とされているが、これに代えて、有底筒状体１５とカップ状体１６とが固着されて、あるいは前記仕切り板が有底筒状体の内部に着脱不能に嵌合されて第２空間１２が開放されない構成を採用してもよい。
【００２５】
また、前記実施形態では、筒体１７をカップ状体１６の底板部に設けたが、これに代えて、例えばカップ状体１６の周壁部に設けてもよい。
さらに、筒体１７として複数の板状体１８が環状に配置された構成を示したが、これに代えて、例えば全体が一体的に形成された筒体を採用してもよい。さらに、板状体１８が前記実施形態のように弾性変形しない場合にも適用可能である。
さらにまた、筒体１７は、その内面が前記実施形態のように縮径されていればよく、外面は、例えば前記中心軸線Ｏ方向の全域で同等の外径としてもよい。
【００２６】
また、前記実施形態では、容器１０の外部と第２空間１２の内部とを連通させるとともに、第２空間１２内に収納される物体（ゴミ）がこの容器１０の外部へ排出されるのを抑止可能な挿通部として、筒体１７を示したが、これに代えて、例えば、図３に示されるように、前記壁部１６ｂに形成された挿通孔２１の内周縁に、その径方向内方に延びる板状体２２が複数環状に設けられた構成を採用し、これらの各板状体２２が、挿通孔２１の内周縁に位置する基端部２２ａを支点として挿通孔２１の中心軸線方向に弾性変形可能に設けられた構成を採用してもよい。この構成において、前記中心軸線回りで隣合う各板状体２２は、その側面、および径方向内方端部が互いに接する、あるいは僅かな隙間をあけて配置されるのが望ましい。ここで、板状体２２は、図３に示されるような、前記壁部１６ｂと一体的に形成してもよいし、あるいは、第２空間１２内に、例えばエラストマー若しくはシリコンゴム等の軟材質からなり、かつ前記壁部１６ｂとは別部材の板材を、挿通孔２１の全体を塞ぐように配置し、この板材に放射状に複数の切り込みを入れて板状体２２を形成してもよい。さらに、これに代えて、第２空間１２内に、挿通孔２１の全体を塞ぐように前記軟材質からなる板材を配置し、この板材に円弧状の切り込みを入れて一点弁を形成してもよい。さらにまた、このような一点弁を前記壁部１６ｂと一体的に形成してもよい。
【００２７】
また、前記実施形態では、第１空間１１にチュウインガムが収納され、第２空間１２に噛み終ったガムが包まれた捨て紙が収納される構成を示したが、第１空間１１に収納される内容物、および第２空間に収納されるものは前記実施形態に限らず、どのようなものについても適用可能である。
【産業上の利用可能性】
【００２８】
内容物を使用等する際に発生したゴミを収納することができる。
【図面の簡単な説明】
【００２９】
【図１】本発明に係る一実施形態として示した容器の縦半断面図である。
【図２】図１に示す容器の底面図である。
【図３】本発明に係る他の実施形態として示した容器の底面図および一部縦断面図である。
【符号の説明】
【００３０】
１０  容器
１１  第１空間
１２  第２空間
１３  有底筒状体の上端開口部
１４  蓋体
１５  有底筒状体
１５ａ  有底筒状体の底面
１６  カップ状体
１６ｂ  壁部
１７  筒体（挿通部）
１７ａ  筒体の開口端部
１８、２２  板状体
１８ａ、２２ａ  板状体の基端部
２１  挿通孔
θ１、θ２  角度
【図１】
2008007184.tif 000003
【図２】
2008007184.tif 000004
【図３】
2008007184.tif 000005